(57)【要約】  【課題】液状洗剤などを収納した容器の頭部に設けるスプレーヘッドであって、該容器内の液状洗剤などを汲み出す過程において泡を発生させて吐出するプッシュポンプの構造を具え、泡を吐出させるための操作に機敏に反応して泡を発生させて吐出する動作を行うことのできるプッシュポンプ構造を有するスプレーヘッドを提供する。  【解決手段】液状洗剤などを収納した容器の開口端に螺着する連結キャップと、押し圧部と、容器の開口端に連結するフィルター部と、エアバルブ構造部と、支持柱体と、ピストン部と、連結部と、弾性体と、シリンダー部と、弁体とを具える。【選択図】  図１
2014046943.tif 000002
【特許請求の範囲】
【請求項１】
押し圧部と、容器の開口端に連結する連結キャップと、フィルター部と、エアバルブ構造部と、支持柱体と、ピストン部と、連結部と、弾性体と、シリンダー部と、弁体とを具えるスプレーヘッドであって、
該押し圧部は該連結キャップに連結し、
該フィルター部は、  中空の管体の上端と下端に、それぞれ第１フィルターと、第２フィルターとを設けてなり、
該エアバルブ構造部は、中空の管体の外周面に、外周縁から下方に壁面を一体に形成した突縁部を形成し、かつ該突縁部の壁面と該中空の管体の外周面に空間を形成するとともに、該壁面の内側に複数の凹状の溝を形成して吸気通路とし、該中空の管体の下端を連結端とし、該連結端の内面壁に複数の凹状の溝を形成して排気通路としてなり、
該支持柱体は、中空の管体であって、第１端と、第２端と、鍔部と、当止部とによってなり、かつ該当止部にガイド溝を形成するとともに、該第１端が該エアバルブ構造部の該連結端に摺動自在に設けられて該連結端内に第１チャンバーを形成し、さらに該第１端の外周面と該エアバルブ構造部の該連結端の内壁との間に第１隙間を形成してなり、
該ピストン部は、第１ピストンと第２ピストンとを具えてなり、該第１ピストンが第３環状端と第４環状端と気体流通孔と気体流通溝と気密環状部と具え、かつ該第４環状端が該突縁部の内壁に当接し、摺動自在に該吸気通路を閉鎖し、該ガイド溝が該当止部と該気密環状部との間に位置し、かつ該気密環状部が摺動自在に該ガイド溝を開閉するとともに、該ガイド溝によって該気体流通孔と該気体流通溝が連通し、該第２ピストンが第５環状端と、第６環状端と、突縁部を具え、かつ該支持柱体の第２端と連結してなり、
該連結部は、第１桿体と、第２桿体と、係合部とによってなり、該第１桿体は該係合部によって該第２桿体と連結するとともに、該第１桿体の一端には環状当止部を形成し、該環状当止部は該支持柱体の該第１端の内壁に当止し、該支持柱体の該第１端との間に液体通過口を形成してなり、該第２桿体は当止部を形成し、該当止部が摺動自在に該突縁部に当止し、かつ該突縁部との間に液体通過口を形成し、
該連結部を該支持柱体の該第２端に摺動自在に挿設し、かつ該第２端との間に第２隙間が形成され、
該弾性体は該連結部の第２端の外周に嵌設し、かつ一端が該支持柱体の該鍔部に当止し、
該シリンダー部は該連結キャップと連結し、第１シリンダーと、第２シリンダーとを具え、該第１シリンダーと該第２シリンダーとの間には、ドーナッツ状の環状チップを設け、かつ該第１シリンダーの内壁には、該第１ピストンが当接して往復運動を行い、さらに、該第１シリンダーに密閉された第２チャンバーが形成され、
該第３環状端が該第１シリンダーの内壁に当止し、かつ該ピストン部の該突縁部と該連結キャップ２との間に第４チャンバーを形成し、
該弁体が該シリンダー部の通過口に設けられること、を特徴とする泡を発生させるスプレーヘッド。
【請求項２】
前記該弁体が玉形弁であって、該シリンダー部の通過口に設けられて、上方に移動して該通過口を開放し、下方に移動して該通過口を閉鎖すること、を特徴とする請求項１に記載の泡を発生させるスプレーヘッド。
【請求項３】
前記第１桿体を該第２桿体の一端に嵌挿して該係合部で連結することを特徴とする請求項１に記載の泡を発生させるスプレーヘッド。
【請求項４】
前記第２桿体を該第１桿体の一端に嵌挿して該係合部で連結することを特徴とする請求項１に記載の泡を発生させるスプレーヘッド。
【請求項５】
前記第１フィルターの網目が該第２フィルターよりも狭いことを特徴とする請求項１に記載の泡を発生させるスプレーヘッド。
【請求項６】
前記フィルター部の中空の管体が、液体と気体とを混合させるための空間を具えることを特徴とする請求項１に記載の泡を発生させるスプレーヘッド。
【請求項７】
前記第１フィルター、もしくは第２フィルターが射出成型で形成されることを特徴とする請求項１に記載の泡を発生させるスプレーヘッド。
【請求項８】
前記第１フィルター、及び／もしくは第２フィルターの網目が六角形に形成されることを特徴とする請求項１に記載の泡を発生させるスプレーヘッド。
【請求項９】
前記連結キャップの内壁には該スプレーヘッドを設ける容器の上部開口端の外周に形成したねじ山に対応するネジ山を形成することを特徴とする請求項１に記載の泡を発生させるスプレーヘッド。
【請求項１０】
前記シリンダー部の通過口に吸入管を接続することを特徴とする請求項１に記載の泡を発生させるスプレーヘッド。
【発明の詳細な説明】
【技術分野】
【０００１】
この発明は、液状洗剤など溶液を収納した容器に取り付けるスプレーヘッドに関し、特に該容器内の溶液を泡状にして吐出するプッシュポンプ構造を有するスプレーヘッドに関する。
【背景技術】
【０００２】
一般に、食器の洗浄、もしくは拭き掃除、ガラス、タイル磨きなどに用いる家庭用の洗剤、またはボディソープ、ジャンプーなどは、容器に詰め、商品とし販売している。こら洗剤を詰める容器は、上端の開口部に弾性部材を具えるプッシュポンプを設けて、該容器内の洗剤を汲み取り、外部に吐出する。
【０００３】
前記容器に詰めた洗剤などは、外部に吐出させた後、泡沫にして使用する場合がある。例えば、食器を洗う場合、もしくは洗髪する場合などである。この場合、外部に吐出させた該洗剤、もしくはシャンプーを掌で揉むようにして泡立たせる。しかし、このような動作は、洗剤などを吐出させて、さらに泡立たせるという二重手間である。
【０００４】
さらに、前述する従来のプッシュポンプは、容器から汲み出して吐出する洗剤、もしくはシャンプーなどの量を制御することができない。よって、例えば食器を洗うための液状洗剤の使用量が必要以上であって、かつ十分にすすがなかった場合、食器に洗剤の成分が容易に残留し、人体を害することになる。シャンプーの場合も同様に、人体の頭皮に残留すると、頭皮に対する傷害を構成する。
【発明の概要】
【発明が解決しようとする課題】
【０００５】
この発明は、液状洗剤などを収納した容器の頭部に設けるスプレーヘッドであって、該容器内の液状洗剤などを汲み出す過程において泡を発生させて吐出するプッシュポンプの構造を具え、泡を吐出させるための操作に機敏に反応して泡を発生させて吐出する動作を行うことのできるプッシュポンプ構造を有するスプレーヘッドを提供することを課題とする。  
【課題を解決するための手段】
【０００６】
そこで本発明者は従来の技術に鑑み鋭意研究を重ねた結果、押し圧部と、容器の開口端に連結する連結キャップと、フィルター部と、エアバルブ構造部と、支持柱体と、ピストン部と、連結部と、弾性体と、シリンダー部と、弁体とを具えるスプレーヘッドであって、液状洗剤などを収納した容器の頭部に取付けて、該容器内に収納した溶液などを汲み出すスプレーヘッドによって課題を解決できる点に着眼し、かかる知見に基づいて本発明を完成させた。
【０００７】
以下、この発明について具体的に説明する。
請求項１に記載する泡を発生させるスプレーヘッドは、押し圧部と、容器の開口端に連結する連結キャップと、フィルター部と、エアバルブ構造部と、支持柱体と、ピストン部と、連結部と、弾性体と、シリンダー部と、弁体とを具えるスプレーヘッドであって、
該押し圧部は該連結キャップに連結し、
該フィルター部は、  中空の管体の上端と下端に、それぞれ第１フィルターと、第２フィルターとを設けてなり、
該エアバルブ構造部は、中空の管体の外周面に、外周縁から下方に壁面を一体に形成した突縁部を形成し、かつ該突縁部の壁面と該中空の管体の外周面に空間を形成するとともに、該壁面の内側に複数の凹状の溝を形成して吸気通路とし、該中空の管体の下端を連結端とし、該連結端の内面壁に複数の凹状の溝を形成して排気通路としてなり、
該支持柱体は、中空の管体であって、第１端と、第２端と、鍔部と、当止部とによってなり、かつ該当止部にガイド溝を形成するとともに、該第１端が該エアバルブ構造部の該連結端に摺動自在に設けられて該連結端内に第１チャンバーを形成し、さらに該第１端の外周面と該エアバルブ構造部の該連結端の内壁との間に第１隙間を形成してなり、
該ピストン部は、第１ピストンと第２ピストンとを具えてなり、該第１ピストンが第３環状端と第４環状端と気体流通孔と気体流通溝と気密環状部と具え、かつ該第４環状端が該突縁部の内壁に当接し、摺動自在に該吸気通路を閉鎖し、該ガイド溝が該当止部と該気密環状部との間に位置し、かつ該気密環状部が摺動自在に該ガイド溝を開閉するとともに、該ガイド溝によって該気体流通孔と該気体流通溝が連通し、該第２ピストンが第５環状端と、第６環状端と、突縁部を具え、かつ該支持柱体の第２端と連結してなり、
該連結部は、第１桿体と、第２桿体と、係合部とによってなり、該第１桿体は該係合部によって該第２桿体と連結するとともに、該第１桿体の一端には環状当止部を形成し、該環状当止部は該支持柱体の該第１端の内壁に当止し、該支持柱体の該第１端との間に液体通過口を形成してなり、
該第２桿体は当止部を形成し、該当止部が摺動自在に該突縁部に当止し、かつ該突縁部との間に液体通過口を形成し、
該連結部を該支持柱体の該第２端に摺動自在に挿設し、かつ該第２端との間に第２隙間が形成され、
該弾性体は該連結部の第２端の外周に嵌設し、かつ一端が該支持柱体の該鍔部に当止し、
該シリンダー部は該連結キャップと連結し、第１シリンダーと、第２シリンダーとを具え、該第１シリンダーと該第２シリンダーとの間には、ドーナッツ状の環状チップを設け、かつ該第１シリンダーの内壁には、該第１ピストンが当接して往復運動を行い、さらに、該第１シリンダーに密閉された第２チャンバーが形成され、
該第３環状端が該第１シリンダーの内壁に当止し、かつ該ピストン部の該突縁部と該連結キャップ２との間に第４チャンバーを形成し、
該弁体が該シリンダー部の通過口に設けられる。
【０００８】
請求項２に記載する泡を発生させるスプレーヘッドは、請求項１における該弁体が玉形弁であって、該シリンダー部の通過口に設けられて、上方に移動して該通過口を開放し、下方に移動して該通過口を閉鎖する。
【０００９】
請求項３に記載する泡を発生させるスプレーヘッドは、請求項１における第１桿体を該第２桿体の一端に嵌挿して該係合部で連結する。
【００１０】
請求項４に記載する泡を発生させるスプレーヘッドは、請求項１における第２桿体を該第１桿体の一端に嵌挿して該係合部で連結する。
【００１１】
請求項５に記載する泡を発生させるスプレーヘッドは、請求項１における第１フィルターの網目が該第２フィルターよりも狭い。
【００１２】
請求項６に記載する泡を発生させるスプレーヘッドは、請求項１におけるフィルター部の中空の管体が、液体と気体とを混合させるための空間を具える。
【００１３】
請求項７に記載する泡を発生させるスプレーヘッドは、請求項１における第１フィルター、もしくは第２フィルターが射出成型で形成される。
【００１４】
請求項８に記載する泡を発生させるスプレーヘッドは、請求項１における第１フィルター、及び／もしくは第２フィルターの網目が六角形に形成される。
【００１５】
請求項９に記載する泡を発生させるスプレーヘッドは、請求項１における連結キャップの内壁には該スプレーヘッドを設ける容器の上部開口端の外周に形成したねじ山に対応するネジ山を形成する。
【００１６】
請求項１０に記載する泡を発生させるスプレーヘッドは、請求項１におけるシリンダー部の通過口に吸入管を接続する。
【図面の簡単な説明】
【００１７】
【図１】この発明によるスプレーヘッドの分解図である。
【図１Ａ】この発明におけるバルブ構造部の断面図である。
【図１Ｂ】この発明における支持柱体の断面図である。
【図１Ｃ】この発明における第１ピストンの断面図である。
【図２】この発明によるスプレーヘッドの断面図である。
【図２Ａ】この発明によるスプレーヘッドの動作を示した局部拡大説明図である。
【図３】この発明によるスプレーヘッドの構造を示した断面説明図である。
【図３Ａ】この発明によるスプレーヘッドの他の動作を示した局部拡大説明図である。
【図４】この発明における第１フィルターと第２フィルターを示した説明図である。
【図５】この発明によるスプレーヘッドの局部断面図拡大図である。
【発明を実施するための形態】
【００１８】
この発明は、 液状洗剤など溶液を収納した容器に取り付けるプッシュ式ポンプであって、即ち、液状洗剤などを収納した容器の頭部に設け、容器内の液状洗剤などを汲み出す過程において泡を発生させて吐出することのできるプッシュ式ポンプを提供するものであって、押し圧部と、容器の開口端に連結する連結キャップと、フィルター部と、エアバルブ構造部と、支持柱体と、ピストン部と、連結部と、弾性体と、シリンダー部と、弁体とを具えてなる。その泡を形成する技術は、液体と気体との混合に基づく原理、もしくは作用を応用したものである。かかる原理は当業者の周知するものであるので、説明を割愛し、本発明による装置の構造と特徴について、具体的な実施例を挙げ、図面を参照にして以下に詳述する。
【実施例】
【００１９】
図１にこの発明によるスプレーヘッド１００を開示する。図面の開示によればスプレーヘッド１００は、押し圧部１と、連結キャップ２と、フィルター部３と、エアバルブ構造部４と、支持柱体５と、ピストン部６と、連結部７と、弾性体８と、シリンダー部９と、弁体１０とによってなる。
【００２０】
押し圧部１は、ノズル部１１具える。ノズル部１１は、ボディソープ、シャンプー、もしくは液状洗剤などを収納した容器（図示しない）の内容物を吐出する。
【００２１】
連結キャップ２は、押し圧部１に連結する。また連結キャップ２の内壁には螺刻する。即ち、スプレーヘッド１００を設ける容器の上部開口端の外周に形成したねじ山に対応するネジ山を形成して、該容器に螺着する。
【００２２】
フィルター部３は、中空管３３の上端と下端に、それぞれ第１フィルター３１と、第２フィルター３２とを設ける。
【００２３】
図１Ａはエアバルブ構造部４の断面図である。図面によれば中空の管体の外周面に突縁部４１を形成する。該突縁部４１は外周縁から下方に壁面を一体に形成し、該壁面とエアバルブ構造部４の外周面との間に空間を形成する。また、該壁面の内側には複数の凹状の溝を形成して、吸気通路４３とする。さらに、下端を連結端４２とし、連結端４２の内面壁に複数の凹状の溝を形成して排気通路４４とする。
【００２４】
図１Ｂは支持柱体５の断面図である。支持柱体５は中空の管体であって、第１端５１と、第２端５２と、鍔部５３と、当止部５４とによってなり、当止部５４にはガイド溝５５を形成する。
【００２５】
図２は、この発明によるスプレーヘッド１００の構造を示す断面図である。図面によれば、支持柱体５の第１端５１は、エアバルブ構造部４の連結端４２に摺動自在に設けられ、連結端４２内に第１チャンバー４０を形成する。また、第１端５１は直径を連結端４２の内径より短くする。よって、第１端５１の外周面と連結端４２の内周面とには第１隙間５０が形成される。第１隙間５０は気体の流通する経路となる。
【００２６】
ピストン部６は中空の環状体である第１ピストン６１と、第２ピストン６２とを有する。図１Ｃに開示するように、第１ピストン６１には第３環状端６１１と、第４環状端６１２と、気体流通孔６１３と、気体流通溝６１４と、気密環状部６１５を形成する。
【００２７】
図２に開示するように、第４環状端６１２は摺動自在に設け、エアバルブ構造部４の突縁部４１の内壁に当接し、かつ吸気通路４３を塞ぐ。また、支持柱体５のガイド溝５５は当止部５４と、第１ピストン６１の気密環状部６１５との間に位置し、気密環状部６１５は、伸縮自在にガイド溝を開閉する。ガイド溝５５は、気体流通孔６１３と気体流通溝６１４とを連通する。よって、この発明における第１ピストン６１は、好ましい気密性を具え、気体の進出を制御することができる。その具体的な動作は後述するとおりである。
【００２８】
第２ピストン６２は、第５環状端６２１と、第６環状端６２２とを具え、第６環状端６２２が支持柱体５の第２端５２と連結する。
【００２９】
連結部７は  支持柱体内５内に摺動自在に挿設する。  連結部７は第１桿体７１と、第２桿体７２と、係合部７３とによってなる。第１桿体７１は係合部７３によって第２桿体７２と連結する。第１桿体７１の一端には環状当止部７１１を形成し、環状当止部７１１は支持柱体５の第１端５１の内壁に当止する。また、支持柱体５の第１端５１との間に液体通過口７１２を形成する。
【００３０】
第２桿体７２は、第２ピストン６２内に摺動自在で、かつ第２ピストン６２内を貫通して、第６環状端６２２と支持柱体５の第２端５２の中空部に至るように設ける。また、連結部７は直径を第２端５２の内径より短くする。よって、連結部７と第２端５２の内壁との間に、液体が通過する経路となる第２隙間７０が形成される。
【００３１】
弾性体８は第２端５２の外周に嵌設する。この場合、弾性体８の一端が支持柱体５の鍔部５３に当止する。
【００３２】
シリンダー部９は連結キャップ２と連結する。シリンダー部９は第１シリンダー９１と、第２シリンダー９２とを具え、第１シリンダー９１と第２シリンダー９２との間には、ドーナッツ状の環状チップ９３を設ける。この環状チップ９３に弾性体８の他端が当止する。
【００３３】
第１シリンダー９１は第２シリンダー９２より大きく、第１ピストン６１は第２ピストン６２より大きくする。第１シリンダー９１の内壁には、第１ピストン６１の第３環状端６１１を形成した部分が当接し、かつ第１ピストン６１が往復運動をする。よって、第１シリンダー９１には密閉された第２チャンバー８０が形成される。
【００３４】
また、第３環状端６１１が第１シリンダー９１の内壁に当止し、かつ突縁部４１と連結キャップ２との間に第４チャンバー２１を形成する。
【００３５】
以上の構造によるスプレーヘッド１００は、押し圧部１を下方に押し圧すると、吸気通路４３が閉ざされて第４チャンバー２１に気体が進入できなくなる。押し圧部１が上昇すると、吸気通路４３が開放されて第４チャンバー２１に進入した気体が気体流通孔６１３と気体流通溝６１４とを通過して第２チャンバー８０に進入する。
【００３６】
第２シリンダー９２の内壁には、第２ピストン６２の第５環状端６２１が当接して往復運動を行う。このため、第２シリンダー９２には密閉された第３チャンバー９０が形成される。
【００３７】
弁体１０は第２シリンダー９２の通過口９２１に設ける。通過口９２１には吸入管９２３を接続し、吸入管９２３から容器（図示しない）内の液体を吸入する。実施例において、弁体１０は玉形弁であって、シリンダー部９の通過口９２１に設けられ上下の往復運動を行う。即ち、上方に移動して開放となり、下方に移動して閉鎖する。
【００３８】
図２Ａは、この発明によるスプレーヘッド１００の押し圧部１が上昇する場合の動作を説明した局部拡大図である。図面によれば、押し圧部１が上昇すると、第４チャンバー２１内の気体が気体流通孔６１３と気体流通溝６１４を通過して第２チャンバー８０に進入する。支持柱体５の当止部５４と、第１ピストン６１の気密環状部６１５との間に位置するガイド溝５５は閉鎖した状態となる。
【００３９】
図３、図３Ａに、この発明によるスプレーヘッド１００の押し圧部１が上昇する場合の動作を説明する。押し圧部１が押し圧されて下降すると、エアバルブ構造部４と支持柱体５が連動して下降し、第２桿体７２に形成する当止部７２１と、第２ピストン６２に形成する突縁部６２３の間に位置する液体進入口７２２が開放される。このため、第３チャンバー９０内の液体が液体進入口７２２から第２隙間７０に流れる。
【００４０】
前述する状態から、さらに継続して押し圧部１を下方に押し圧すると、第１ピストン６１の第３環状端６１１と、第２ピストン６２の第５環状端６２１とが、それぞれ第１シリンダー９１と第２シリンダー９２の内壁との摩擦の作用によって動かなくなる。この場合、連結部７の第２桿体７２の環状当止部７１１は支持柱体５の第１端５１の内壁から離れて液体進入口７２２が開放される。このため、液体が第２隙間７０から第１チャンバー４０内に流れる。
【００４１】
押し圧部１が下降すると同時に、エアバルブ構造部４の吸気通路が第４環状端６１２によって徐々に閉鎖され、支持柱体５の当止部５４と第１ピストン６１の気密環状部６１５がガイド溝５５を徐々に開放する。このためガイド溝５５が気体流通孔６１３と気体流通溝６１４とを徐々に連通させ、第２チャンバー８０内の気体が気体流通孔６１３と気体流通溝６１４を通過してガイド溝５５に至り、さらに排気通路４４と第１隙間５０を経由して第１チャンバー４０内に流れる。
【００４２】
上述する押し圧部１を下方に押し圧する過程において、第１チャンバー４０内に流れた液体と気体とが混合し、さらにフィルター部３の第２フィルター３２第１フィルター３１を通過することによって泡沫状となり、押し圧部１のノズル部１１から外部に吐出される。
【００４３】
ここで特に説明しておきたいことは、図４などに開示するように実施の形態において、第１フィルター３１、もしくは第２フィルター３２は射出成型で、中空の管体の両端に係止するように形成することである。このため、フィルターを加工する工程において容易に脱落するという問題を改善することができる 。
【００４４】
さらにきめ細かい泡を得るためには、図４に開示するように第１フィルター３１と、第２フィルター３２との網目３１１を六角形に形成してもよい。さらに、第１フィルター３１の網目の口径を第２フィルター３２の網目の口径に比して狭くするか、もしくは等しくする。また、フィルター部３の中空管３３に液体と気体とを混合させる混合空間３３０を形成する。このため液体と気体が網目の口径が広い第２フィルター３２を通過して泡沫が発生した後、混合空間３３０を通過することによって緩衝作用が発生し、さらに網目の狭い第１フィルター３１を通過することによって、きめ細かい泡沫が得られる。
【００４５】
図２、２Ａ、もしくは図１に開示するように、押し圧部１への押し圧を開放すると、弾性体８の付勢力によって、支持柱体５とエアバルブ構造部４が上昇運動を行う。この場合、第１ピストン６１の第３環状端６１１と第２ピストン６２の第５環状端６２１とが、それぞれ第１シリンダー９１と第２シリンダー９２の内壁の摩擦力の作用を受けて動くことなく静止した状態を保つ。
【００４６】
この場合、連結部７の第２桿体７２は、第１桿体７１が継続して上昇する運動を阻止する。このため、第１桿体７１の環状当止部７１１が支持柱体５の第１端５１の内壁に当止する。よって、液体通過口７１２が閉鎖して、エアバルブ構造部４の吸気通路４３が
徐々に開放され、ガイド溝５５が当止部５４と気密環状部６１５によって徐々に閉鎖される。  
【００４７】
支持柱体５が止まることなく上昇運動をすると、第１ピストン６１と、連結部７と、第２ピストン６２が連動して上昇運動を行い、第２チャンバー８０と第３チャンバー９０の容量が増大する。このため、外部の空気が吸入されて吸気通路４３から第２チャンバー８０に流れ、液体は弁体１０を通過して第３チャンバー９０に流れて、次のポンプの動作に備える。
【００４８】
ここで注意すべき点は、本発明において弾性体８を支持柱体５の第２端５２の外壁に嵌挿した点である。かかる構成によって、液体が第２端５２の内に形成された経路を通過するため、液体に含有される化学物質と弾性体８とが接触することを防ぐ。このため、弾性体８の腐食を防ぐことができるのみならず、液体についても弾性体８による汚染を防ぐことができる。
【００４９】
また、第４環状端６１２が摺動自在に突縁部４１の内壁に当接し、かつエアバルブ構造部４の吸気通路４３閉鎖するとともに、支持柱体５の当止部５４と、第１ピストン６１の気密環状部６１５はガイド溝５５を自在に開閉する。このため、ガイド溝５５は気体流通孔６１３と、気体流通溝６１４とを自在に連通、もしくは閉鎖することができる。かかる構造によって気体が第４チャンバー２１と第２チャンバー８０への進入を制御することができる。したがって、この発明によるスプレーヘッド１００は好ましい気密の効果が得られる。
【００５０】
また、連結部７の第１桿体７１の一端に形成した環状当止部７１１は摺動自在に支持柱体５の第１端５１の内壁に当接し、第１端５１との間に液体通過口７１２を形成する。連結部７の第２桿体７２に形成する当止部７２１は、摺動自在に第２ピストン６２の突縁部６２３に当接し、突縁部６２３との間に液体進入口７２２を形成する。係る構造によって液体の進入を制御する。よって、この発明によるスプレーヘッドは、従来のピストン式のものに比して好ましい気密性と、ポンプの液体汲み上げ効果が得られ、かつスプレーヘッドを押し圧する操作に機敏に対応することができる。
【００５１】
ここで特に説明しておく。この発明によるスプレーヘッド１００の押し圧部１の形状は、図面に開示するものに限ることはない。実施の形態において、ノズル部１１は傾斜して上向きなっているが、これはノズル部１１から液体が滴り落ちることを防ぐためである。当然のことながら、図５に開示するようにノズル部１１を水平にしてもかまわない。
【００５２】
また、この発明における連結部７の第１桿体７１と、第２桿体７２の連結方式についても特に限定しない。係合部７３、もしくは同等の効果の得られる構造部を形成して両部材を連結すればよい。当然のことながら、図５に開示するように、第２桿体７２を第１桿体７１の一端に嵌挿して係合部７３で連結してもよい。
【００５３】
以上はこの発明の好ましい実施の形態であって、この発明の実施の範囲を限定するものではない。よって、同業者のなしえる修正、訂正などであって、この発明の精神の下においてなされ、この発明に対して均等の効果を有するものは、いずれもこの発明の特許請求の範囲に属するものとする。
【符号の説明】
【００５４】
１       押し圧部
１０     弁体
１００   スプレーヘッド
１１     ノズル部
２       連結キャップ
２１     第４チャンバー
３       フィルター部
３１     第１フィルター
３１１   網目
３２     第２フィルター
３３     中空管
３３０   混合空間
４       エアバルブ構造部
４０     第１チャンバー
４１     突縁部
４２     連結端
４３     吸気通路
４４     排気通路 
５       支持柱体
５０     第１隙間
５１     第１端
５２     第２端
５３     鍔部
５４     当止部
５５     ガイド溝
６       ピストン部
６１     第１ピストン
６１１   第３環状端
６１２   第４環状端
６１３   気体流通孔
６１４   気体流通溝
６１５   気密環状部
６２     第２ピストン
６２１   第５環状端
６２２   第６環状端
６２３   突縁部
７       連結部
７０     第２隙間
７１     第１桿体
７１１   環状当止部
７１２   液体通過口
７２     第２桿体
７２１   当止部
７２２   液体進入口
７３     係合部
８       弾性体
８０     第２チャンバー
９       シリンダー部
９０     第３チャンバー
９１     第１シリンダー
９２     第２シリンダー
９２１   通過口
９２３   吸入管
９３     環状チップ
【図１】
2014046943.tif 000003
【図１Ａ】
2014046943.tif 000004
【図１Ｂ】
2014046943.tif 000005
【図１Ｃ】
2014046943.tif 000006
【図２】
2014046943.tif 000007
【図２Ａ】
2014046943.tif 000008
【図３】
2014046943.tif 000009
【図３Ａ】
2014046943.tif 000010
【図４】
2014046943.tif 000011
【図５】
2014046943.tif 000012